(57)【特許請求の範囲】
【請求項１】
複数の部品から成る物品の管理方法において、
前記各部品に、それぞれその部品を識別する部品識別データと、物品を識別する物品識別データと、物品を構成する各部品の部品識別データ及びその部品数と、を格納した無線タグを付し、
複数の前記無線タグを読取る読取ステップと、
この読取ステップで読取った各無線タグのうちいずれか１つの無線タグに格納された部品識別データを第１のメモリに記憶し、物品識別データを第２のメモリに記憶し、物品を構成する各部品の部品識別データ及びその部品数を第３のメモリに記憶する記憶ステップと、
前記読取ステップで読取った残りの無線タグのうち、その無線タグに格納された物品識別データが前記第２のメモリで記憶したデータと一致する無線タグについて、その無線タグに格納された部品識別データを前記第１のメモリに追加する追加ステップと、
前記第１のメモリで記憶した部品識別データの種類と数が前記第３のメモリで格納したデータと一致するか照合する照合ステップと、
を備えたことを特徴とする物品管理方法。
【請求項２】
複数の部品から成る物品の管理方法において、
前記各部品のうち少なくとも１つの部品に、その部品を識別する部品識別データと、物品を識別する物品識別データと、物品を構成する各部品の部品識別データ及びその部品数と、を格納した無線タグを付し、残りの部品に、その部品を識別する部品識別データと、物品を識別する物品識別データとを格納した無線タグを付し、
複数の前記無線タグを読取る読取ステップと、
この読取ステップで読取った各無線タグから、前記部品識別データと物品識別データと物品を構成する各部品の部品識別データ及びその部品数とを格納した無線タグを検索する検索ステップと、
この検索ステップで検出された無線タグに格納された部品識別データを第１のメモリに記憶し、物品識別データを第２のメモリに記憶し、物品を構成する各部品の部品識別データ及びその部品数を第３のメモリに記憶する記憶ステップと、
前記読取ステップで読取ったもので前記検索ステップで検出されなかった無線タグのうち、その無線タグに格納された物品識別データが前記第２のメモリで記憶したデータと一致する無線タグについて、その無線タグに格納された部品識別データを前記第１のメモリに追加する追加ステップと、
前記第１のメモリで記憶した部品識別データの種類と数が前記第３のメモリで格納したデータと一致するか照合する照合ステップと、
を備えたことを特徴とする物品管理方法。
【請求項３】
複数の部品から成る物品の管理方法において、
前記各部品に、それぞれその部品を識別する部品識別データと、物品を識別する物品識別データと、を格納した無線タグを付し、
複数の前記無線タグを読取る読取ステップと、
この読取ステップで読取った各無線タグのうちいずれか１つの無線タグに格納された部品識別データを第１のメモリに記憶し、物品識別データを第２のメモリに記憶する記憶ステップと、
前記読取ステップで読取った残りの無線タグのうち、その無線タグに格納された物品識別データが前記第２のメモリで記憶したデータと一致する無線タグについて、その無線タグに格納された部品識別データを前記第１のメモリに追加する追加ステップと、
前記第２のメモリで記憶した物品識別データで上位機器に問合せを行い、その物品識別データで特定される物品を構成する各部品の部品識別データ及びその部品数を受信する受信ステップと、
前記第１のメモリで記憶した部品識別データの種類と数が、前記受信ステップで受信したデータと一致するか照合する照合ステップと、
を備えたことを特徴とする物品管理方法。
【請求項４】
複数の部品から成る物品の管理装置において、
前記各部品にそれぞれ付され、その部品を識別する部品識別データと、物品を識別する物品識別データと、物品を構成する各部品の部品識別データ及びその部品数とを格納した複数の無線タグを読取る読取手段と、
この読取手段で読取った各無線タグのうちいずれか１つの無線タグに格納された部品識別データを第１のメモリに記憶し、物品識別データを第２のメモリに記憶し、物品を構成する各部品の部品識別データ及びその部品数を第３のメモリに記憶する記憶処理手段と、
前記読取手段で読取った残りの無線タグのうち、その無線タグに格納された物品識別データが前記第２のメモリで記憶したデータと一致する無線タグについて、その無線タグに格納された部品識別データを前記第１のメモリに追加する追加手段と、
前記第１のメモリで記憶した部品識別データの種類と数が前記第３のメモリで格納したデータと一致するか照合する照合手段と、
を具備したことを特徴とする物品管理装置。
【請求項５】
複数の部品から成る物品の管理装置において、
前記各部品にそれぞれ付され、そのうちいずれか１つの部品には、その部品を識別する部品識別データと、物品を識別する物品識別データと、物品を構成する各部品の部品識別データ及びその部品数とを格納し、残りの部品には、その部品を識別する部品識別データと、物品を識別する物品識別データとを格納した複数の無線タグを読取る読取手段と、
この読取手段で読取った各無線タグから、前記部品識別データと物品識別データと物品を構成する各部品の部品識別データ及びその部品数とを格納した無線タグを検索する検索手段と、
この検索手段で検出された無線タグに格納された部品識別データを第１のメモリに記憶し、物品識別データを第２のメモリに記憶し、物品を構成する各部品の部品識別データ及びその部品数を第３のメモリに記憶する記憶処理手段と、
前記読取手段で読取ったもので前記検索手段で検出されなかった無線タグのうち、その無線タグに格納された物品識別データが前記第２のメモリで記憶したデータと一致する無線タグについて、その無線タグに格納された部品識別データを前記第１のメモリに追加する追加手段と、
前記第１のメモリで記憶した部品識別データの種類と数が前記第３のメモリで格納したデータと一致するか照合する照合手段と、
を具備したことを特徴とする物品管理装置。
【請求項６】
複数の部品から成る物品の管理装置において、
前記各部品にそれぞれ付され、その部品を識別する部品識別データと、物品を識別する物品識別データとを格納した複数の無線タグを読取る読取手段と、
この読取手段で読取った各無線タグのうちいずれか１つの無線タグに格納された部品識別データを第１のメモリに記憶し、物品識別データを第２のメモリに記憶する記憶処理手段と、
前記読取手段で読取った残りの無線タグのうち、その無線タグに格納された物品識別データが前記第２のメモリで記憶したデータと一致する無線タグについて、その無線タグに格納された部品識別データを前記第１のメモリに追加する追加手段と、
前記第２のメモリで記憶した物品識別データで上位機器に問合せを行い、その物品識別データで特定される物品を構成する各部品の部品識別データ及びその部品数を受信する受信手段と、
前記第１のメモリで記憶した部品識別データの種類と数が、前記受信手段で受信したデータと一致するか照合する照合手段と、
を具備したことを特徴とする物品管理装置。
【発明の詳細な説明】
【技術分野】
【０００１】
本発明は、１つ或いは複数の部品からなる物品を管理する物品管理方法及び物品管理装置に関する。
【背景技術】
【０００２】
物品を管理する時のデータ入力や編集作業を簡単に行えるようにするようにした物品管理装置が知られている(例えば、特許文献１参照)。この物品管理装置５は、図８及び図９に示すように、物品ごとにＩＤの異なる無線タグ１をつけて、無線タグ１から無線でＩＤ情報を検出する手段とＩＤ情報検出手段により検出されたＩＤ情報に基づいてデータベース８のＩＤ情報を用いた編集を行う編集手段を有している。この物品管理装置５により、物品につけられた無線タグ１からＩＤ情報を検出すると共に、編集手段により物品ごとにデータベースのグループ情報を設定するようにしている。
【０００３】
この物品管理装置５のデータベース８には、無線タグ１のＩＤ情報と、物品情報と、グループ情報が格納され、物品を読み取った時に、データベース８の同じグループ情報を全て検索して、読み取った情報と、データベース８内の同じグループ情報のデータが一致しているかを照合するようにしている。
【特許文献１】特開２００４−２９２１２０号公報
【発明の開示】
【発明が解決しようとする課題】
【０００４】
しかしながら、特許文献1のものでは、無線タグ１のＩＤ情報とグループ情報だけで管理しているため、データベース８の中の同じグループの物品を検索するのに、データベース８全てを検索する必要があり、検索時間が長かった。
【０００５】
また、小規模なシステムの場合でも、データベース８は必ず必要であり、システム構築の作業が大変で、コストが高くなるといった問題点があった。
【０００６】
さらに、物品管理装置５内にデータベース８を設けているため、無線タグ１のＩＤ情報受信部を複数設けるような大規模なシステムに対応することが困難であった。
【０００７】
本発明は上記の点に鑑みてなされたもので、その目的は、データベースの全てを検索することなく、また、データベースが無くても、物品の管理が可能である物品管理方法及び物品管理装置を提供することにある。
【課題を解決するための手段】
【０００８】
本発明は、複数の部品からなる物品の管理方法及び装置であって、各部品に、それぞれその部品を識別する部品識別データと、物品を識別する物品識別データと、物品を構成する各部品の部品識別データ及びその部品数と、を格納した無線タグを付し、複数の無線タグを読取ると、この読取った各無線タグのうちいずれか１つの無線タグに格納された部品識別データを第１のメモリに記憶し、物品識別データを第２のメモリに記憶し、物品を構成する各部品の部品識別データ及びその部品数を第３のメモリに記憶し、残りの無線タグのうち、その無線タグに格納された物品識別データが第２のメモリで記憶したデータと一致する無線タグについて、その無線タグに格納された部品識別データを第１のメモリに追加し、第１のメモリで記憶した部品識別データの種類と数が、第３のメモリで格納したデータと一致するか照合するようにしたものである。
【発明の効果】
【０００９】
本発明によれば、物品管理装置にデータベースが無くても、部品が正しく全て揃っているかを瞬時に確認することができるので、データベースの検索やデータベース無しに、物品の部品が正しく揃っているかどうかを瞬時に判別することが可能となる。
【発明を実施するための最良の形態】
【００１０】
以下、図面を参照して本発明の一実施の形態について説明する。
【００１１】
図１を参照して本発明に係る物品管理方法が適用される物品管理装置のシステムについて説明する。
【００１２】
図１において、１１は上位機器である。この上位機器は制御部１２を中心に構成されており、この制御部１２には記憶部１３及び通信部１４が接続されている。記憶部１３には、図６に示すように物品識別ＩＤに対応して各部品識別ＩＤと各部品の数が格納されている。また、上位機器１１からの通信ライン２１には、複数の物品管理装置２２ａ、２２ｂ、２２ｃ、…が接続されている。物品管理装置２２ａ、２２ｂ、２２ｃは同じ構成を有するため、物品管理装置２２ａを代表にとって説明する。
【００１３】
物品管理装置２２ａは、制御部３１を中心に構成されている。この制御部３１には、通信部３２、無線タグの読取り状況や結果などを表示するディスプレイ３３、無線タグの読取り開始や終了などを入力する入力部３４、無線タグを読取る無線タグ読取部３５が接続される。この無線タグ読取部３５にはアンテナ３６が接続されている。なお、制御部３１には物品の部品が正しく揃っているかを判断する構成部品照合手段３１ａを有している。
【００１４】
物品４１は複数の部品から構成されている。この実施の形態では、物品４１が３つの部品１、部品２、部品３から成っていることを一例にとって説明する。
【００１５】
各部品1〜３にはそれぞれ無線タグ1〜３が設けられている。無線タグ1〜３は電磁波により非接触で無線タグ1〜３内のメモリ(図示しない)にデータを読み書きできるものである。無線タグ1〜３に格納されたデータのフォーマットを図２を参照して説明する。図２に示すように、データのフォーマットは無線タグを識別するためのタグＩＤ、部品を識別するための部品識別ＩＤ、物品を識別するための物品識別ＩＤ、物品を構成している各部品を識別するＩＤおよび物品を構成している各部品の数から成っている。
【００１６】
タグＩＤは、無線タグ1〜３ごとに異なる固有のＩＤであり、無線タグ読取部３５側で同じタグを複数回読んだのか、別のタグを読んだのかを識別するために用いられる。
【００１７】
部品識別ＩＤは、無線タグが取付けられている部品を識別するものであり、部品名あるいは部品番号に該当するし、異なる部品では異なる部品識別ＩＤになる。
【００１８】
物品識別ＩＤは物品を識別するもので、物品名あるいは物品番号に該当し、異なる物品では異なる物品識別ＩＤになる。引続くデータは、物品を構成する各部品の識別ＩＤと物品を構成している各部品の数である。
【００１９】
図２は、無線タグ１に格納されたデータの場合、無線タグ１が取付けられている部品はＣＤであること、物品は音楽ＣＤ１であること、この音楽ＣＤ１を構成する各部品と数量は、ＣＤが数量1、歌詞カードが数量１、ケースが数量1であることを示している。なお、データフォーマットとして部品の合計を格納してもよい。
【００２０】
次に、上記のように構成された本発明の一実施の形態の動作について図３のフローチャートを参照しながら説明する。
【００２１】
入力部３４から読取開始を入力する(ステップＳ１)と、無線タグ読取部３５からアンテナ３６に電力が供給されて、アンテナ３６から電波が出力される(ステップＳ２)。そして、無線タグ１，２，３のデータが読取られる(ステップＳ３)。物品管理装置２２ａの制御部３１は、読取ったタグの枚数を図示しないメモリ１に保存する(ステップＳ４)。この場合、全て正常に読取れた場合には、読取枚数ｎは３となる。ここで、読み取り枚数が０の場合には、読取れない旨、ディスプレイ３３に表示して終了しても良い。
【００２２】
なお、図2に示すタグＩＤは、同じタグを２回読まないために使われる。すなわち、無線タグを複数枚読取った場合でも、タグＩＤが同じ場合には、同じ無線タグを複数回読取ったとして、１枚のタグと判断する。
【００２３】
次に、無線タグの読取データをメモリ２に保存する(ステップＳ５)。メモリ２には、図２に示した部品識別ＩＤ、物品識別ＩＤ、物品を構成する各部品ＩＤと各部品数が保存される。
【００２４】
制御部３１の構成部品照合手段３１ａは、まず、回数カウンタｉを０にし(ステップＳ６)、メモリ２に保存された１枚目の無線タグの物品識別ＩＤをメモリ３に、各部品ＩＤと部品数をメモリ４に保存する(ステップＳ７)。
【００２５】
次に、１枚目の無線タグの部品識別ＩＤをメモリ５に保存する(ステップＳ８)。
【００２６】
次いで、回数カウンタｉを＋１し(ステップＳ９)、回数カウンタｉ＝ｎであるかを判定する(ステップＳ１０)。このステップＳ１０の判定で「ＮＯ」と判定、つまり回数カウンタｉが読取枚数ｎに達していない場合には、メモリ２に保存された次の２枚目の無線タグの物品識別ＩＤが、メモリ３に保存された１枚目の物品識別ＩＤと同じかどうかを判断する(ステップＳ１１)。このステップＳ１１の判定で「ＮＯ」と判定、つまり異なると判定された場合には、間違った部品が入っていると判断して、ディスプレイにその旨表示する(ステップＳ１２)。
【００２７】
一方、ステップＳ１１の判定で「ＹＥＳ」と判定された場合には、部品識別ＩＤをメモリ５に追記する(ステップＳ１２)。
【００２８】
以降、ステップＳ９の処理に戻って、回数カウンタｉを１アップし、回数カウンタiが読取枚数ｎと同じになるまで繰り返す。ステップＳ１０の判定で「ＹＥＳ」と判定、つまり回数カウンタが読取枚数ｎと同じ判定された場合には、メモリ４に保存された１枚目の無線タグの各部品ＩＤと部品数と、メモリ５に保存された読取った全無線タグの部品識別ＩＤの種類と数が、合っているかどうかを判別する(ステップＳ１４)。
【００２９】
このステップＳ１４の判定で「ＹＥＳ」、つまり合っていると判定された場合には、ＯＫをディスプレイ３３に表示する。一方、ステップＳ１４の判定で「ＮＯ」、つまり合っていない場合には、ディスプレイ３３ＮＧを表示する(ステップＳ１２)。この時、メモリ４とメモリ５の内容をそのまま表示してもよい。
【００３０】
例えば、物品が“音楽ＣＤ１”であった場合について具体例を説明する。“音楽ＣＤ１”は、ＣＤ、歌詞カード、ケースの３つの部品から構成される。これら３つの部品に同じ物品識別ＩＤ“音楽ＣＤ１”のついた無線タグが設けられる。物品管理装置は、無線タグ読取部で読みとられた物品識別ＩＤが“音楽ＣＤ１”の無線タグについて部品識別ＩＤの種類毎の無線タグ枚数を求め、この部品識別ＩＤの種類毎の無線タグ枚数と、読取った無線タグに格納された各部品の部品数を比較し、一致している場合には、ＣＤ、歌詞カード、ケースが正しく揃っていると判断する。物品識別ＩＤが“音楽ＣＤ１”の無線タグについて各部品ごとの読取り枚数が少ない場合には、部品が揃っていないと判断する。多い場合には部品が重複して入っていると判断する。また、読取った無線タグの内容が、物品識別ＩＤが“音楽ＣＤ１”の部品“ＣＤ”の無線タグ、物品識別ＩＤが“音楽ＣＤ１”の部品“ケース”の無線タグ、物品識別ＩＤが“音楽ＣＤ２”の部品“歌詞カード”の無線タグであった場合には、歌詞カードが異なるものが入っていると判断する。いずれの場合も判断した結果はディスプレイに表示する。
【００３１】
また、本実施の形態では、物品を構成する部品が合っているかどうかを判別する例を挙げているが、部品を物品に置き換えて複数の物品のまとまりが合っているかどうかを検出する場合にも適用可能である。
【００３２】
このように、従来例のようにデータベースの検索やデータベース無しに、物品の部品が正しく揃っているかどうかを瞬時に判別することができる。
【００３３】
なお、上記実施の形態では、全ての部品の無線タグに、物品を構成する各部品の識別コードと物品を構成する各部品の数を格納していたが、物品を構成する少なくとも1つの部品に取付ける無線タグには、部品識別ＩＤと物品識別ＩＤと物品を構成する各部品の識別コードと物品を構成する各部品の数を格納し、残りの部品に取付ける無線タグには、部品識別ＩＤと物品識別ＩＤのみ格納することで、上記機能を果たすことができる。
【００３４】
次に、図４のフローチャートを参照して本発明の一実施の形態の変形例について説明する。この変形例は、全ての無線タグにタグＩＤ、部品識別ＩＤ、物品識別ＩＤが保存されているが、物品を構成する各部品ＩＤと各部品数は、１枚あるいは一部の無線タグにのみ保存されている場合の例である。
【００３５】
図４に示すように、入力部３４から読取開始を入力して(ステップＳ1)、無線タグの読取データをメモリ２に保存する(ステップＳ5)までは、図3のフローチャートと同じであるのでその詳細な動作は省略する。
【００３６】
そして、制御部３１の構成部品照合手段３１ａは、まず、回数カウンタｉ２を０にし(ステップＳ２１)、メモリ２に保存された１枚目の無線タグのに物品を構成する各部品ＩＤと各部品数が保存されているかどうかを判断する(ステップＳ２２)。
【００３７】
このステップＳ２２の判定で「ＮＯ」と判定された場合、つまり保存されていない場合には、回数カウンタｉ２を１アップし、ｉ２がｎになるまで繰り返す(ステップＳ２３，２４)。
【００３８】
ステップＳ２４の判定で「ＹＥＳ」と判定された場合、つまりｉ２がｎになっても各部品ＩＤと各部品数が保存されている無線タグを見つけられなかった場合には、読取れていないタグがあるか、無線タグのメモリ内容が異常であるとして、ディスプレイ３３に表示する(ステップＳ１２)。ステップＳ２４において「ＮＯ」と判定された場合には、つまり各部品ＩＤと各部品数が保存されている場合には、回数カウンタｉを０にし(ステップＳ６)、この無線タグを１枚目の無線タグとして、全ての無線タグについて、ステップＳ６以降の処理が行われる。
【００３９】
以上のようにして、少なくとも１枚の無線タグに物品を構成する各部品ＩＤと各部品数を保存しておけば第１の実施の形態と同様な効果が得られる。
【００４０】
次に、本発明の第２の実施の形態について図１，図５〜図７を参照して説明する。
【００４１】
物品は図１と同様の構成であるが、各部品に設けられている無線タグに格納されているデータは図４のように、タグＩＤと無線タグが取付けられている部品の部品識別ＩＤと物品識別ＩＤだけになっている。
【００４２】
次に、図７のフローチャートを参照して本発明の第２の実施の形態に係るの物品管理装置１で物品１の無線タグを読取る場合の動作について説明する。なお、図７のフローチャートにおいて、図３のフローチャートの処理と同じ部分には同一のステップ番号を付し、その詳細な説明は省略する。
【００４３】
物品管理装置１の入力部３４から無線タグの読取開始の入力がある(ステップＳ１)と、アンテナから電波を出力し(ステップＳ２)、物品１の各部品に設けられた無線タグを無線タグ読取部で読取る(ステップＳ３〜Ｓ６)。
【００４４】
制御部３１は、読み込んだ無線タグの物品識別ＩＤを通信部３２から上位機器１１に送信する。上位機器１１は、受信した物品識別ＩＤに対応した各部品識別ＩＤと各部品の数を記憶部１３から抽出し、通信部１４から物品管理装置２２ａに送信する。
【００４５】
物品管理装置２２ａは、構成部品照合手段３１ａにより、上位機器１１から受信した物品識別ＩＤに対応した各部品識別ＩＤと各部品の数と、無線タグ読取部３５で読取った物品識別ＩＤが同じである無線タグについて各部品識別ＩＤの数を比較する。両者が一致している場合ステップＳ１４で「ＹＥＳ」と判定されて、正しく物品１が構成されていると判断する。
【００４６】
一方、無線タグ読取部で読取った無線タグについて各部品識別ＩＤの数が少ない場合あるいは多い場合にはステップＳ１４の判定で「ＮＯ」と判定され、物品１の部品が正しく構成されていないと判断する。物品管理装置１の制御部は判断結果をディスプレイ３３に表示する。
【００４７】
これにより、複数の物品管理装置を設けたシステムを容易に構成できるとともに、上位機器では、物品識別ＩＤに対応した各部品識別ＩＤと各部品の数を記憶部から抽出して物品管理装置１に送信するだけの動作になり、従来例に比べて、簡単かつ高速で、物品の部品が正しく揃っているかどうかを判別することができる。
【００４８】
なお、本発明は上記実施の形態に限らず種々変形可能である。
【図面の簡単な説明】
【００４９】
【図１】本発明に係る物品管理装置のシステム構成を示す図。
【図２】本発明の第１の実施例に係る無線タグのデータフォーマット例を示す図。
【図３】本発明の第１の実施の形態の動作を説明するためのフローチャート。
【図４】本発明の第１の実施の形態の変形例のフローチャート。
【図５】本発明の第２の実施の形態の無線タグのデータフォーマット例を示す図。
【図６】本発明の第２の実施の形態の上位機器の記憶部のデータフォーマット例を示す図。
【図７】本発明の第２の実施の形態の動作を説明するためのフローチャート。
【図８】従来例を示す図。
【図９】従来例を示す図。
【符号の説明】
【００５０】
１１…上位機器、２２ａ〜２２ｃ…物品管理装置、３３…ディスプレイ、
３４…入力部、３５…無線タグ読取部、３６…アンテナ。
【図１】
0004317182.tif 000002
【図２】
0004317182.tif 000003
【図３】
0004317182.tif 000004
【図４】
0004317182.tif 000005
【図５】
0004317182.tif 000006
【図６】
0004317182.tif 000007
【図７】
0004317182.tif 000008
【図８】
0004317182.tif 000009
【図９】
0004317182.tif 000010